(57)【特許請求の範囲】
【請求項１】
構造物の基礎部に設置される免震装置の周囲を耐火被覆材で覆うよう取付ける免震装置に於ける耐火被覆材の取付け構造において、
前記耐火被覆材は、ポリイソブチレンゴムシートの外層被覆材と、その内側に配設する耐炎化クロス、セラミックファイバーとガラス繊維との混合材から成る内層被覆材との積層構造から構成され、前記耐炎化クロスと内層被覆材との裾部に、所定の間隔で複数本のスリットを形成し、耐炎化クロスと内層被覆材とをそれぞれ金属薄膜により被覆して成る免震装置に於ける耐火被覆材の取付け構造。
【請求項２】
前記スリットは、裾部の長手方向に所定の間隔で少なくとも４本以上形成した請求項１に記載の免震装置に於ける耐火被覆材の取付け構造。
【請求項３】
前記スリットの長さは、構造物の台座に対応した長さに形成する請求項１または２に記載の免震装置に於ける耐火被覆材の取付け構造。
【請求項４】
前記耐炎化クロスと内層被覆材とに形成するスリットの位置を、それぞれ位相をずらせて形成した請求項１，２または３に記載の免震装置に於ける耐火被覆材の取付け構造。
【請求項５】
前記外層被覆材を発泡性のポリイソブチレンゴムにより形成する請求項１，２，３または４に記載の免震装置に於ける耐火被覆材の取付け構造。
【発明の詳細な説明】
【０００１】
【発明の属する技術分野】
この発明は、免震装置に於ける耐火被覆材の取付け構造に係わり、更に詳しくは免震装置の剪断水平変位に追従し、耐火被覆材が破損したり、損傷するのを有効に防止させた耐火被覆材の取付け構造に関するものである。
【０００２】
【従来の技術】
近年、ビル、マンション等の構造物の免震装置として、鋼板とゴムシートとを交互に積層させた積層ゴム製の免震装置が使用されているが、この免震装置はゴム材料を主材としているため、構造物の火災時に免震装置を保護し、かつ免震性能を維持させるため免震装置の周囲を耐火被覆材で覆うことが一般に行われている。
【０００３】
この場合、耐火被覆材は火災により免震装置に影響がないように耐火性能を保持していることは勿論の事、地震時の免震装置の剪断変形に追従し得るように構成し、更に免震装置の補修、点検等において簡単に取付け，取外しができるようにする必要がある。
【０００４】
【発明が解決しようとする課題】
ところで、従来の免震装置における耐火被覆材は、セラミックブランケット等の不燃断熱材にてシート状に形成され、免震装置の周囲を覆い、かつ剪断変位に追従するように構成されていた。
【０００５】
然しながら、セラミックブランケット等の耐火被覆材を使用する構造は、耐火被覆材が伸びないため免震装置の剪断水平変位が２５０％を超えると、下部構造物のコンクリート台座に引っ掛かり、耐火被覆材が破壊したり、損傷すると言う問題があった。
【０００６】
この発明の目的は、免震装置の剪断水平変位に追従可能にすることで、耐火被覆材が損傷したり、破損するのを有効に防止し、また追従後にも耐火シール性に優れ、有効な耐火性を有すると共に、取付け，取外し作業を容易に行うことが出来る免震装置に於ける耐火被覆材の取付け構造を提供することにある。
【０００７】
【課題を解決するための手段】
この発明は上記目的を達成するため、耐火被覆材は、ポリイソブチレンゴムシートの外層被覆材と、その内側に配設する耐炎化クロス、セラミックファイバーとガラス繊維との混合材から成る内層被覆材との積層構造から構成され、前記耐炎化クロスと内層被覆材との裾部に、所定の間隔で複数本のスリットを形成し、耐炎化クロスと内層被覆材とをそれぞれ金属薄膜により被覆したことを要旨とするものである。
【０００８】
この発明は、上記のように構成され、耐炎化クロスと内層被覆材との裾部に、所定の間隔で複数本のスリットを形成し、耐炎化クロスと内層被覆材とをそれぞれ金属薄膜により被覆したことにより、免震装置が剪断水平変位で２５０％を超えても容易に追従でき、耐火被覆材が損傷したり、破損するのを有効に防止し、また追従後にも耐火シール性に優れ、有効な耐火性を有すると共に、取付け，取外し作業を容易に行うことが出来るものである。
【０００９】
【発明の実施の形態】
以下、添付図面に基づき、この発明の実施形態を説明する。
【００１０】
図１は、この発明の実施形態を示す免震装置を設置した状態の半断面図を示し、この免震装置１は、複数枚の鋼板１ａとゴムシート１ｂとを交互に積層させて構成し、免震装置１の上部フランジ２と下部フランジ３は、上部構造物４のコンクリート台座４ａと下部構造物５のコンクリート台座５ａに複数本のボルト等の締結部材６を介して取付けられている。
【００１１】
前記免震装置１の外周囲には、所定の間隔（空間）７を隔ててシート状の耐火被覆材８が覆うように配設してあり、この耐火被覆材８の上部は、表面に耐炎化クロス９（ガラス繊維で構成された布）を介して前記上部構造物４のコンクリート台座４ａに複数本のボルト等の締結部材１０を介して取付けられている。
【００１２】
前記耐火被覆材８は、表面側を、ポリイソブチレンゴムシートの外層被覆材１１により構成すると共に、その内側に耐炎化クロス１２（ガラス繊維等で構成された布）と、セラミックファイバーとガラス繊維との混合材から成る内層被覆材１３とを積層させて構成してある。
【００１３】
前記耐火被覆材８は、少なくとも上部構造物４のコンクリート台座４ａと下部構造物５のコンクリート台座５ａとの高さＨに対応した幅を有し、かつ免震装置１の外周を覆う長さ、即ち、コンクリート台座４ａ及びコンクリート台座５ａの周長に対応した長さに形成されている。
【００１４】
なお、前記外層被覆材１１は、耐火発泡材で構成するため火災が発生した場合には、その加熱により体積が数倍に発泡してシール性能を発揮するものである。
【００１５】
前記耐炎化クロス１２と内層被覆材１３とは、図２に示すようにアルミ箔等の金属薄膜１４ａ，１４ｂにより被覆され、また耐炎化クロス１２と内層被覆材１３との裾部には、図３及び図４に示すように、所定の間隔で複数本のスリット１５ａ，１５ｂが形成されている。
【００１６】
前記スリット１５ａ，１５ｂは、裾部の長手方向に所定の間隔で少なくとも４本以上形成し、そのスリット１５ａ，１５ｂの長さは、下部構造物５のコンクリート台座５ａに対応した長さ、例えば、１００mmの長さで形成する。
【００１７】
また、耐炎化クロス１２のスリット１５ａと、内層被覆材１３のスリット１５ｂとの位置は、それぞれ位相をずらせて形成する必要がある。即ち、免震装置１が剪断水平変位で２５０％を超えても耐炎化クロス１２と内層被覆材１３とが下部構造物５のコンクリート台座５ａに引っ掛からず乗り越えて容易に追従でき、耐火被覆材８が損傷したり、破損するのを有効に防止出来るからである。
【００１８】
この発明は上記のように構成され、耐火被覆材８は、表面側を、ポリイソブチレンゴムシートの外層被覆材１１により構成すると共に、耐炎化クロス１２と内層被覆材１３との裾部に、所定の間隔で複数本のスリット１５ａ，１５ｂを形成し、耐炎化クロス１２と内層被覆材１３とをそれぞれ金属薄膜１４ａ，１４ｂにより被覆したことにより、免震装置１が剪断水平変位で２５０％を超えてもコンクリート台座５ａに引っ掛からず乗り越えて容易に追従でき、耐火被覆材８が損傷したり、破損するのを有効に防止し、また追従後にも耐火シール性に優れ、有効な耐火性を有すると共に、取付け，取外し作業を容易に行うことが出来る。
【００１９】
【発明の効果】
この発明は上記のように、耐火被覆材は、ポリイソブチレンゴムシートの外層被覆材と、その内側に配設する耐炎化クロス、セラミックファイバーとガラス繊維との混合材から成る内層被覆材との積層構造から構成され、前記耐炎化クロスと内層被覆材との裾部に、所定の間隔で複数本のスリットを形成し、耐炎化クロスと内層被覆材とをそれぞれ金属薄膜により被覆したので、以下のような優れた効果を奏するものである。
▲１▼．免震装置が剪断水平変位で２５０％を超えても下部構造物のコンクリート台座に引っ掛からず乗り越えて容易に追従でき、耐火被覆材が損傷したり、破損するのを有効に防止出来る。
▲２▼．追従後にも耐火シール性に優れ、有効な耐火性を有する。
▲３▼．取付け，取外し作業を容易に行うことが出来る。
▲４▼．構成が簡単であるので、安価に製作出来る効果がある。
【図面の簡単な説明】
【図１】この発明の実施形態を示す免震装置を設置した状態の半断面図である。
【図２】図１のＸ部の拡大断面図である。
【図３】耐炎化クロスの正面図である。
【図４】内層被覆材の正面図である。
【符号の説明】
１  免震装置
１ａ  鋼板
１ｂ  ゴムシート
２  上部フランジ
３  下部フランジ
４  上部構造物
４ａ  コンクリート台座
５  下部構造物
５ａ  コンクリート台座
６  締結部材
７  間隔（空間）
８  耐火被覆材
９  耐炎化クロス（ガラス繊維で構成された布）
１０  締結部材
１１  ポリイソブチレンゴムシートの外層被覆材
１２  耐炎化クロス（ガラス繊維等で構成された布）
１３  内層被覆材
１４ａ，１４ｂ  アルミ箔等の金属薄膜
１５ａ，１５ｂ  複数本のスリット
【図１】
0004039766.tif 000002
【図２】
0004039766.tif 000003
【図３】
0004039766.tif 000004
【図４】
0004039766.tif 000005